(57)【要約】【課題】運搬しやすく、転倒防止を図ることができ、且つバリアフリー化が可能となる写真撮影装置及び写真撮影装置の設置方法を提供する。【解決手段】ボックス型の筐体１内に撮影手段（ストロボユニット及びデジタルカメラ等）とプリント手段（プリンタ及び裁断ユニット等）とを備える写真撮影装置１００において、筐体１は、撮影手段及びプリント手段を収納する装置室２と、撮影手段により撮影される顧客が入室する撮影室３と、を備え、筐体１の下部は、コンクリートブロック５上に固定されており、撮影室３の第１の床３０は、着脱可能に備えられ、且つ、第１の床３０の床面３３は、装置室２の第２の床２０の床面２２よりも低くなるように構成した。【選択図】図２
2007286109.tif 000002
【特許請求の範囲】
【請求項１】
ボックス型の筐体内に撮影手段とプリント手段とを備える写真撮影装置において、
前記筐体は、前記撮影手段及び前記プリント手段を収納する装置室と、前記撮影手段により撮影される顧客が入室する撮影室と、を備え、
前記筐体の下部は、台座上に固定されており、
前記撮影室の第１の床は、着脱可能に備えられ、且つ、前記第１の床の床面は、前記装置室の第２の床の床面よりも低くなっていることを特徴とする写真撮影装置。
【請求項２】
前記第１の床は、正面視略凹型に成形された板部材からなり、出入口側が開口していることを特徴とする請求項１に記載の写真撮影装置。
【請求項３】
前記第１の床は、ヒンジ部材を介して折り曲げ可能となっていることを特徴とする請求項１に記載の写真撮影装置。
【請求項４】
請求項１又は２に記載の前記写真撮影装置を設置するにあたり、
前記撮影室の床として平板状の仮床を取り付ける仮床取付工程と、
前記仮床が取り付けられた前記写真撮影装置を前記台座上に載置する載置工程と、
前記台座上に載置された前記写真撮影装置の前記仮床を取り外す仮床取り外し工程と、
前記筐体の下部を前記台座に固定する固定工程と、
前記台座に固定された前記写真撮影装置の前記撮影室の床として前記第１の床を取り付ける床取付工程と、
を備えることを特徴とする写真撮影装置の設置方法。
【発明の詳細な説明】
【技術分野】
【０００１】
本発明は、写真撮影装置及び写真撮影装置の設置方法にかかるものである。
【背景技術】
【０００２】
従来、免許証やパスポート，履歴書等に貼付するための証明写真等を撮影するためのボックス型の写真撮影装置が知られている。そして、このうような写真撮影装置において、底面をなくし、当該写真撮影装置の壁の下部を直接地面に接するようにして設置し、バリアフリーとしたものも知られている（例えば、特許文献１）。
【特許文献１】特開２００３−２９５３０２号公報
【発明の開示】
【発明が解決しようとする課題】
【０００３】
しかしながら、特許文献１の写真撮影装置では、地震等による災害時の転倒防止を図ることができない。そのため、写真撮影装置を重量のあるコンクリートブロック上に固定設置する必要があるが、写真撮影装置をコンクリートブロック上に固定することとすると、例えば、図１０に示すように、当該写真撮影装置の床面と設置される地面との間に段差が生じてしまい、バリアフリーを図ることができない。そこで、特許文献１のように床面を取り除くことによりバリアフリーを図ることが考えられるが、当該写真撮影装置を運搬する際にはフォークリフト等を用いるので、床面がないと運搬しにくくなってしまうという問題がある。
【０００４】
本発明の課題は、運搬しやすく、転倒防止を図ることができ、且つバリアフリー化が可能となる写真撮影装置及び写真撮影装置の設置方法を提供することである。
【課題を解決するための手段】
【０００５】
請求項１に記載の発明は、写真撮影装置において、
前記筐体は、前記撮影手段及び前記プリント手段を収納する装置室と、前記撮影手段により撮影される顧客が入室する撮影室と、を備え、
前記筐体の下部は、台座上に固定されており、
前記撮影室の第１の床は、着脱可能に備えられ、且つ、前記第１の床の床面は、前記装置室の第２の床の床面よりも低くなっていることを特徴としている。
【０００６】
請求項２に記載の発明は、請求項１に記載の写真撮影装置において、
前記第１の床は、正面視略凹型に成形された板部材からなり、出入口側が開口していることを特徴としている。
【０００７】
請求項３に記載の発明は、請求項１に記載の写真撮影装置において、
前記第１の床は、ヒンジ部材を介して折り曲げ可能となっていることを特徴としている。
【０００８】
請求項４に記載の発明は、請求項１又は２に記載の写真撮影装置を設置するにあたり、
前記撮影室の床として平板状の仮床を取り付ける仮床取付工程と、
前記仮床が取り付けられた前記写真撮影装置を前記台座上に載置する載置工程と、
前記台座上に載置された前記写真撮影装置の前記仮床を取り外す仮床取り外し工程と、
前記筐体の下部を前記台座に固定する固定工程と、
前記台座に固定された前記写真撮影装置の前記撮影室の床として前記第１の床を取り付ける床取付工程と、
を備えることを特徴としている。
【発明の効果】
【０００９】
請求項１に記載の発明によれば、筐体の下部が台座上に固定されることにより、地震等による災害時の写真撮影装置の転倒防止を図ることができるとともに、第１の床が着脱可能に備えられているので、例えば、運搬時には平板状の仮床を取り付けることにより運搬しやすくすることができ、また、第１の床が第２の床よりも低くなっているので、バリアフリー化を図ることができる。
【００１０】
請求項２に記載の発明によれば、請求項１に記載の発明と同様の効果が得られることは勿論のこと、特に、第１の床は、正面視略凹型に成形された板部材からなり、出入口側が開口しているので、第１の床の側方向端部を第２の床に重ね合わせてボルト等により容易に取り付けることができる。また、第１の床は、略凹型に成形された板部材からなるため、容易に製造することができ、製造コストを抑えることができる。
【００１１】
請求項３に記載の発明によれば、請求項１に記載の発明と同様の効果が得られることは勿論のこと、特に、第１の床は、ヒンジ部材を介して折り曲げ可能となっているので、運搬時には、第１の床を伸ばして平板状とすることにより、フォークリフト等により写真撮影装置を容易に運搬することができるとともに、当該写真撮影装置の設置後には、第１の床をヒンジ部材において折り曲げることにより、第１の床の床面を第２の床の床面よりも低くすることができ、バリアフリー化を図ることができる。
また、第１の床だけで、運搬時及び設置時に対応することができ、製造コストを抑えることができる。
【００１２】
請求項４に記載の発明によれば、請求項１又は２と同様の効果が得られるのは勿論のこと、特に、仮床を取り付けて台座上に載置するので、フォークリフト等で容易に載置することができる。また、仮床を取り外してから筐体の下部を台座に固定するので、筐体の床下でアクセスしにくい筐体の下部であっても、仮床を取り外すことにより容易にアクセスして当該下部を台座に固定することができ、より容易に筐体の下部を台座に固定することができる。
【発明を実施するための最良の形態】
【００１３】
以下、図面を参照して本発明の最良の形態について詳細に説明する。ただし、発明の範囲は、図示例に限定されない。また、限定的な表現をする場合があるが、これに限られるものではない。
【００１４】
（第１の実施形態）
図１は、本発明の第１の実施形態に係る写真撮影装置１００の外観を示す斜視図であり、図２は、本発明の第１の実施形態に係る写真撮影装置１００の正面図である。第１の実施形態に係る写真撮影装置１００は、例えば、図１及び図２に示すように、ボックス型に成形された筐体１内に、撮影手段としてのストロボユニット（図示省略）及びデジタルカメラ（図示省略）等，プリント手段としてのプリンタ（図示省略）及び裁断ユニット（図示省略）等を備える装置室２と、顧客が入室し、当該顧客が撮影される撮影室３とを備えている。また、筐体１の下部には、例えば、６本の脚部４を備え、当該脚部４が板金Ｋ１とボルトＢ１及びナットＮによって台座としてのコンクリートブロック５上に固定されている。また、撮影室３の出入口には、カーテン６が開閉可能に取り付けられている。
【００１５】
より具体的には、コンクリートブロック５は、ボルトＢ１を係止するための逆Ｔ型の溝部５０を備え、板金Ｋ１は、Ｔ型のボルトＢ１を挿通する挿通孔（図示省略）と筐体１の脚部４を係止する係止穴（図示省略）とを備え、挿通孔に挿通されたボルトＢ１がナットＮを締めることによってコンクリートブロック５の溝部５０に係止されることにより、板金Ｋ１がコンクリートブロック５上に固定され、脚部４は、コンクリートブロック５上に固定された板金Ｋ１によって係止されることにより、コンクリートブロック５上に固定されるようになっている。
【００１６】
また、筐体１の床は、例えば、撮影室３の床である第１の床３０と装置室２の床である第２の床２０とを備え、第２の床２０は、例えば、筐体１と一体的に成形されており、第１の床３０は、第２の床２０に着脱可能に備えられている。
【００１７】
具体的には、例えば、図３に示すように、第１の床３０は、正面視略凹型に成形された板部材からなり、出入口側が開口するように第２の床２０に取り付けられている。より具体的には、例えば、図３に示すように、第１の床３０の凹み部３１が下側となるように、第１の床３０の側方向端部３２，３２と、第２の床２０の端部２１，２１とが重ね合わされ、ボルトＢ２，ナット（図示省略）により当該側方向端部３２と端部２１とが固定されることにより、第１の床３０が第２の床２０に取り付けられるようになっている。そして、第１の床３０の床面３３は、第２の床２０の床面２２よりも低くなっている。
【００１８】
次に、上述のような構成の写真撮影装置１００の設置方法について、図４〜図６を参照しながら説明する。
まず、設置前の写真撮影装置１００に、撮影室３の床として、例えば、図４に示す平板状の仮床７を取り付ける（仮床取付工程）。
次に、仮床７が取り付けられた写真撮影装置１００を、例えば、フォークリフト（図示省略）等により、板金Ｋ１の挿通孔に挿通されたボルトＢ１が仮固定されたコンクリートブロック５上に載置する（載置工程）。
次に、コンクリートブロック５上に載置された写真撮影装置１００の仮床７を取り外す（仮床取り外し工程）。
次に、脚部４を板金Ｋ１の係止穴に係止して、ボルトＢ１をコンクリートブロック５の溝部５０に固定することにより、筐体１の下部をコンクリートブロック５上に固定する（固定工程）。
次に、写真撮影装置１００の撮影室３の床として、第１の床３０を取り付ける（床取付工程）。
【００１９】
以上に説明した第１の実施形態に係る写真撮影装置１００によれば、筐体１は、ストロボユニット（図示省略）及びデジタルカメラ（図示省略）等，プリンタ（図示省略）及び裁断ユニット等を収納する装置室２と、ストロボユニット（図示省略）及びデジタルカメラ（図示省略）等により撮影される顧客が入室する撮影室３と、を備え、筐体１の下部は、コンクリートブロック５上に固定されており、撮影室３の第１の床３０は、着脱可能に備えられ、且つ、第１の床３０の床面３３は、装置室２の第２の床２０の床面２２よりも低くなっているので、筐体１の下部がコンクリートブロック５上に固定されることにより、地震等による災害時の写真撮影装置１００の転倒防止を図ることができるとともに、第１の床３０が着脱可能に備えられているので、運搬時には平板状の仮床７を取り付けることにより運搬しやすくすることができ、また、第１の床３０が第２の床２０よりも低くなっているので、バリアフリー化を図ることができる。
【００２０】
また、第１の床３０は、正面視略凹型に成形された板部材からなり、出入口側が開口しているので、第１の床３０の側方向端部３２を第２の床２０に重ね合わせてボルトＢ２等により容易に取り付けることができる。また、第１の床３０は、略凹型に成形された板部材からなるため、容易に製造することができ、製造コストを抑えることができる。
【００２１】
また、撮影室３の床として平板状の仮床７を取り付ける仮床取付工程と、仮床７が取り付けられた写真撮影装置１００をコンクリートブロック５上に載置する載置工程と、コンクリートブロック５上に載置された写真撮影装置１００の仮床７を取り外す仮床取り外し工程と、筐体１の下部をコンクリートブロック５に固定する固定工程と、コンクリートブロック５に固定された写真撮影装置１００の撮影室３の床として第１の床３０を取り付ける床取付工程と、を備えるので、仮床７を取り付けてコンクリートブロック５上に載置するので、フォークリフト等で容易に載置することができる。また、仮床７を取り外してから筐体１の下部をコンクリートブロック５に固定するので、筐体１の床下でアクセスしにくい筐体１の下部であっても、仮床７を取り外すことにより容易にアクセスして当該下部をコンクリートブロック５に固定することができ、より容易に筐体１の下部をコンクリートブロック５に固定することができる。
【００２２】
（第２の実施形態）
図７に、本発明の第２の実施形態に係る写真撮影装置２００の正面図を示す。第２の実施形態に係る写真撮影装置２００は、例えば、図に示すように、第１の床８，第２の床９の構成のみが、第１の実施形態に係る写真撮影装置１００と異なるので、その他の構成については同一の符号を付すとともに、その説明を省略する。
【００２３】
第１の床８は、例えば、図８に示すように、第１の平板８０と第２の平板８１とがヒンジ部材８２を介して連結されたものにより構成されており、当該ヒンジ部材８２を介して折り曲げ可能となっている。また、第１の平板８０の背面側の端部８３は、ヒンジ８４を介して筐体１の背面側の壁１０に連結されており、当該ヒンジ８４を軸として当該壁１０に対して回動できるようになっている。そして、第１の平板８０を筐体１の背面側の壁１０と略面一となるように回動させ、第１の床８をヒンジ部材８２において折り曲げ、第２の平板８１を設置地面に沿わせることにより、第１の床８の床面が第２の床９の床面よりも低くなるようになっている。
また、第２の平板８１は、当該第２の平板８１の側方向の両端部８５，８５に、ボルトＢ３を挿通するための挿通穴部Ａ１が備えられている。
【００２４】
第２の床９は、例えば、端部９０にボルトＢ３を挿通する挿通穴Ａ２を備えている。当該挿通穴Ａ２は、第１の平板８０を筐体１の背面側の壁１０に対して直角となるように回動させ、第１の床８をヒンジ部材８２において折り曲げずに、当該第１の平板８０と第２の平板８１とを１枚の平板状とし、第１の床８の床面と第２の床９の床面とが略面一となるようにした場合に、第２の平板８１の挿通穴部Ａ１と隣合う位置に備えられている。
【００２５】
次に、上述のような構成の写真撮影装置２００の設置方法について説明する。
まず、設置前の写真撮影装置２００において、例えば、図９に示すように、第１の平板８０を筐体１の背面側の壁１０に対して直角となるように回動させ、第１の床８をヒンジ部材８２において折り曲げずに、当該第１の平板８０と第２の平板８１とを１枚の平板状とし、第１の床８の床面と第２の床９の床面とが略面一となるようにし、板金Ｋ２に挿通されたボルトＢ３を第１の床８の挿通穴部Ａ１と第２の挿通穴Ａ２とに挿通してナット（図示省略）によって、第１の床８を第２の床９に固定する。
次に、第１の床８が第２の床９に固定された写真撮影装置２００を、例えば、フォークリフト（図示省略）等により、板金Ｋ１の挿通孔に挿通されたボルトＢ１が仮固定されたコンクリートブロック５上に載置する。
次に、第１の床８を第２の床９から取り外し、第１の平板８０をヒンジ８４を軸として筐体１の背面側の壁１０に対して略面一となるように回動させ、第１の平板８０と第２の平板８１とをヒンジ部材８２を介して当該第１の床８を折り曲げ、第２の平板８１を設置地面に沿わせる。
次に、脚部４を板金Ｋ１の係止穴に係止して、ボルトＢ１をコンクリートブロック５の溝部５０に固定することにより、筐体１の下部をコンクリートブロック５上に固定する。
【００２６】
以上に説明した、第２の実施形態に係る写真撮影装置２００によれば、第１の実施形態に係る写真撮影装置１００と同様の効果が得られることは勿論のこと、特に、第１の床８は、ヒンジ部材８２を介して折り曲げ可能となっているので、運搬時には、第１の床８を伸ばして平板状とすることにより、フォークリフト等により写真撮影装置２００を容易に運搬することができるとともに、当該写真撮影装置２００の設置後には、第１の床８をヒンジ部材８２において折り曲げることにより、第１の床８の床面を第２の床９の床面よりも低くすることができ、バリアフリーを図ることができる。
また、第１の床８だけで、運搬時及び設置時に対応することができ、製造コストを抑えることができる。
【００２７】
なお、本実施形態における筐体１の脚部４のコンクリートブロック５への固定方法は一例に過ぎず、他の方法により固定されてもよい。
また、本実施形態では、台座としてコンクリートブロックを例示して説明したが、重量のあるものであって、写真撮影装置の転倒防止を図れるものであれば、なんであってもよい。
【図面の簡単な説明】
【００２８】
【図１】本発明の第１の実施形態に係る写真撮影装置の外観の一例を示す斜視図である。
【図２】本発明の第１の実施形態に係る写真撮影装置の正面図である。
【図３】本発明の第１の実施形態に係る第１の床と第２の床との取付構造を説明する部分断面斜視図である。
【図４】本発明の第１の実施形態に係る写真撮影装置の設置方法を説明する図である。
【図５】本発明の第１の実施形態に係る写真撮影装置の設置方法を説明する図である。
【図６】本発明の第１の実施形態に係る写真撮影装置の設置方法を説明する図である。
【図７】本発明の第２の実施形態に係る写真撮影装置の正面図である。
【図８】本発明の第２の実施形態に係る第１の床の取付構造を説明する部分断面斜視図である。
【図９】本発明の第２の実施形態に係る第１の床と第２の床との取付構造を説明する部分断面斜視図である。
【図１０】従来の写真撮影装置の正面図である。
【符号の説明】
【００２９】
１  筐体
２  装置室
２０，９  第２の床
３  撮影室
３０，８  第１の床
８２  ヒンジ部材
５  コンクリートブロック（台座）
７  仮床
１００，２００  写真撮影装置
【図１】
2007286109.tif 000003
【図２】
2007286109.tif 000004
【図３】
2007286109.tif 000005
【図４】
2007286109.tif 000006
【図５】
2007286109.tif 000007
【図６】
2007286109.tif 000008
【図７】
2007286109.tif 000009
【図８】
2007286109.tif 000010
【図９】
2007286109.tif 000011
【図１０】
2007286109.tif 000012